(57)【要約】【課題】構造が簡単である保護カバーを備えたテープカッターを提供する。【解決手段】テープホルダー２０、カッター５４および可動する保護カバー５６を含む本体１０を有する。保護カバー５６の一端は、一体形の延伸する撓み爪６２を有し、撓み爪６２は本体１０に当接している。本体１０は溝４０と溝４２を有し、溝４２はカッター５４が装設され、溝４０は保護カバー５６が装設されている。本体１０は、溝４０と溝４２との間に位置する仕切板４４を有し、ストッパーは仕切板４４上に位置する。保護カバー５６の前端は、湾曲部６０を有し、カッター５４へ向かって湾曲する。保護カバー５６が収縮する時、撓み爪６２は変形し、弾性回復力により保護カバー５６を伸出させることができる。【選択図】図１
0003124183.tif 000002
【実用新案登録請求の範囲】
【請求項１】
テープホルダー、カッター、可動する保護カバー、本体、および保護カバーを備えるテープカッターにおいて、
前記保護カバーの一端は一体形の延伸する撓み爪を有することを特徴とする保護カバーを備えたテープカッター。
【請求項２】
前記保護カバーの撓み爪の外端は、ぶら下がり状態を呈し、さらに頭部を備え、前記頭部は前記本体に圧接することを特徴とする請求項１記載の保護カバーを備えたテープカッター。
【請求項３】
前記本体は、２つの溝を有し、前記２つの溝のうちの１つの溝はカッターが装設され、もう一方の溝は保護カバーが装設されていることを特徴とする請求項１記載の保護カバーを備えたテープカッター。
【請求項４】
前記保護カバーは、前記本体のストッパーに対応するフックを有することを特徴とする請求項３記載の保護カバーを備えたテープカッター。
【請求項５】
前記保護カバーは、前記フックに近いエリアにおいて厚さがその他の部分より薄いことを特徴とする請求項４記載の保護カバーを備えたテープカッター。
【請求項６】
前記撓み爪の外端は、前記溝の底面に当接し、前記底面と前記ストッパーとの間の距離は前記撓み爪と前記フックとの間の距離よりもやや小さいことを特徴とする請求項４記載の保護カバーを備えたテープカッター。
【請求項７】
前記溝の側面には複数の凸片が設けられ、前記カッターに当接することを特徴とする請求項３記載の保護カバーを備えたテープカッター。
【請求項８】
前記本体は、２つの溝との間に位置する仕切板を有し、ストッパーは前記仕切板上に位置することを特徴とする請求項１記載の保護カバーを備えたテープカッター。
【請求項９】
前記保護カバーの前端は、湾曲部を有し、前記カッターへ向かって湾曲することを特徴とする請求項１記載の保護カバーを備えたテープカッター。
【考案の詳細な説明】
【技術分野】
【０００１】
本考案は、テープカッターに関し、特に、保護カバーを備えたテープカッターに関する。
【背景技術】
【０００２】
従来のテープカッターは、使用者がカッターで損傷することを避けるため、普通、以下の方式を採用している。それは、特定の状況下においてのみ伸出し、テープを切断するために用いられる可動するカッターを設ける一方、通常の状況下では、カッターを覆うような保護カバーを設けるという方式で、これにより、保護機能を達成することができるというものである。
しかしながら、可動するカッターまたは保護カバーのいずれにしても、該カッターもしくは該保護カバーを元の位置に戻すための弾性部材を設けており、このような構造が組立上の困難を増加させることは疑いの余地がない。
【考案の開示】
【考案が解決しようとする課題】
【０００３】
本考案の主な目的は、保護カバーを備えたテープカッターを提供することであり、構造が簡単なカッター保護手段を有するテープカッターを提供することである。
【課題を解決するための手段】
【０００４】
前述の目的を達成するため、本考案が提供する保護カバーを備えたテープカッターは、テープホルダーと、カッターと、カッターの傍らに位置し、伸出して該カッターを覆い、または、収縮してカッターを露出させることが可能な保護カバーが設けられている本体を含む。前記保護カバーの一端は少なくとも一つの延伸する一体形の撓み爪を備え、該撓み爪は前記本体に当接し、これにより、前記保護カバーが収縮する時、該撓み爪は変形し、弾性回復力により前記保護カバーを伸出させることができる。
【考案を実施するための最良の形態】
【０００５】
本考案の構造および特徴を詳述するため、以下により好ましい実施の形態を挙げ、図面と合わせて説明する。
図１と図２は、本考案の一実施例による保護カバーを備えたテープカッターが主に本体１０と、テープホルダー２０と、カッター５４と、保護カバー５６とを有することを示す。
【０００６】
図１と図４は、本体１０が主にホルダーベース１２と可動板部１４とを備え、該ホルダーベース１２の内側は第１軸心１６、第２軸心１８およびテープホルダー２０が延伸することを示す。第１軸心１６と第２軸心１８は、それぞれ第１ローラ２２と第２ローラ２４が套設されている。第１軸心１６の外端は凸片２６を有し、前記ホルダーベース１２の外側の第１軸心１６に対応する位置にもう１つの凸片を有する。ねじ２８は、前記第２軸心１８の外端に挿入され、第２ローラ２４が第２軸心１８より離脱することを防止するために用いられる。テープホルダー２０は、中空の円柱体で、周面にぶら下がる２つの弾性部材３０を有している。テープロール３２は前記テープホルダー２０に套設され、前記２つの弾性部材３０はテープロール３２が回転することを防止するため、弾性によりテープロール３２に圧接することができる。可動板部１４は、主板３４と、主板３４の両側に位置する２つの側板３６とを有する。２つの側板３６はそれぞれ前記ホルダーベース１２上の２つの凸片２６と結合するための孔３８を有し、これにより、前記可動板部１４は前記ホルダーベース１２と結合し、擺動することが可能となる。また、図６と図７に示すように、前記主板３４の前端は２つの溝４０と溝４２を有し、これら２つの溝４０と溝４２の間に仕切板４４を有し、さらにその後端にストッパー４６を有する。下方の溝４２の下側側面は２つの細長い凸状体４８を有し、上方の溝４０の底側に底面５０を有する。また、前記下方の溝４２はカッター５４が装設され、カッター５４は前記２つの細長い凸状体４８に当接し、上方の溝４０には保護カバー５６が装設されている。
【０００７】
図１と図３は、前記保護カバー５６が前端に下方に向かう湾曲部６０と、後端の両側に撓み爪６２を備えた板体５８とを有することを示す。湾曲部６０はより良い保護作用を達成するため、前記カッター５４に向かって湾曲し、前記保護カバー５６を前記カッター５４の方向へとさらに近接させる。前記撓み爪６２は、それぞれ前記保護カバー５６より外側へと延伸し、再び内側に向けて延伸する細長い形状である。その外端はぶら下がる状態を呈し、さらに頭部６４を有する。前記板体５８は、底側の後端位置にフック６６が設けられ、頂上側は該フック６６に対応する位置にくぼみ６８が設けられている。即ち、前記板体５８は前記フック６６に近いところの厚さがその他の位置に較べて薄く、これにより、前記フック６６は一定の撓み性を有する。前記保護カバー５６が前記主板３４の上方の溝４０に挿入されることにより、前記フック６６が前記仕切板４４を越えるようにし、さらに、前記撓み爪６２の頭部６４を前記底面５０に当接させる。前記底面５０と前記ストッパー４６との距離は前記２つの撓み爪６２の頭部６４より前記フック６６までの間の距離よりもやや小さく、これにより、図６で示す前記保護カバー５６が圧縮されていない状況において、前記２つの撓み爪６２の頭部６４と前記フック６６はそれぞれ底面５０と前記仕切板４４のストッパー４６に圧接することができる。
【０００８】
図５と図７は、通常の状態において、前記保護カバー５６の湾曲部６０が前記カッター５４よりも突出し、これにより、使用者が損傷することを防止することを示す。使用者がテープ３２１を切断しようとする時、図６と図８に示すように、該テープ３２１は前記保護カバー５６を内側へ収縮させ、カッター５４を露出させる。こうしてテープ３２１を切断することができる。また、前記保護カバー５６が内側へ圧縮される時、前記２つの撓み爪６２を湾曲させることができる。圧力消失後において、前記２つの撓み爪６２は弾性回復力を生じ、前記保護カバー５６を外側へと押し出し、再び前記カッター５４に覆い被さるようにする。この時、前記フック６６は再び前記仕切板４４のストッパー４６に当接し、これにより、前記保護カバー５６が離脱することを防止することができる。
本明細書において説明を提出したいと欲することは、いかなる形式のテープカッターであっても本考案の技術を用い、前記保護カバーの設置が可能であるということである。
【図面の簡単な説明】
【０００９】
【図１】本考案の一実施例による保護カバーを備えたテープカッターを示す分解斜視図である。
【図２】本考案の一実施例による保護カバーを備えたテープカッターを示す斜視図である。
【図３】図１を３−３線で切断した断面図である。
【図４】本考案の一実施例による保護カバーを備えたテープカッターの本体を示す模式図である。
【図５】本考案の一実施例による保護カバーを備えたテープカッターの保護カバーが伸出する状態を示す断面図である。
【図６】本考案の一実施例による保護カバーを備えたテープカッターの保護カバーが収縮する状態を示す断面図である。
【図７】本考案の一実施例による保護カバーを備えたテープカッターの保護カバーが伸出する状態を示す断面図である。
【図８】本考案の一実施例による保護カバーを備えたテープカッターの保護カバーが収縮する状態を示す断面図である。
【符号の説明】
【００１０】
１０  本体、１２  ホルダーベース、１４  可動板部、１６  第１軸心、１８  第２軸心、２０  テープホルダー、２２  第１ローラ、２４  第２ローラ、２６  凸片、２８  ねじ、３０  弾性部材、３２  テープロール、３４  主板、３６  側板、３８  孔、４０  溝、４２  溝、４４  仕切板、４６  ストッパー、４８  凸状体、５０  底面、５４  カッター、５６  保護カバー、５８  板体、６０  湾曲部、６２  撓み爪、６４  頭部、６６  フック、６８  くぼみ、３２１  テープ
【図１】
0003124183.tif 000003
【図２】
0003124183.tif 000004
【図３】
0003124183.tif 000005
【図４】
0003124183.tif 000006
【図５】
0003124183.tif 000007
【図６】
0003124183.tif 000008
【図７】
0003124183.tif 000009
【図８】
0003124183.tif 000010